(57)【要約】【課題】  カット紙を使用して作製され、全ての情報を片面プリントによりプリントすることができる３つ折り隠蔽葉書を提供することである。【解決手段】  両面に感圧接着剤層が設けられた長方形状のカット紙を使用して、カット紙の片面にプリンターにて情報をプリントし、カット紙を長手方向にＺ状に３つ折りして上紙片と中紙片と下紙片からなる３つ折り紙片を作製し、３つ折り紙片を加圧接着して中紙片と下紙片間を剥離可能に接着した構成からなるカット紙３つ折り隠蔽葉書である。【選択図】      図１
2006347185.tif 000002
【特許請求の範囲】
【請求項１】
両面に感圧接着剤層が設けられた長方形状のカット紙を使用して、前記カット紙の片面にプリンターにて情報をプリントし、前記カット紙を長手方向にＺ状に３つ折りして上紙片と中紙片と下紙片からなる３つ折り紙片を作製し、前記３つ折り紙片を加圧接着して前記上紙片と前記中紙片の裏面同士、前記中紙片と前記下紙片の表面同士を接着したカット紙３つ折り隠蔽葉書であって、前記カット紙の両面に設けられる感圧接着接着剤層の塗布量を、裏面は多くして表面は裏面よりも少なくしておくことにより、Ｚ状に３つ折りして加圧接着することにより、塗布量を多くした感圧接着剤層を備える裏面同士は強く接着させ、塗布量を少なくした感圧接着剤層を備える表面同士は弱く接着させることにより、前記上紙片と前記中紙片の裏面間を強く接着して剥離できない状態とし、前記中紙片と前記下紙片の表面間を弱く接着して剥離できる状態としたことを特徴とするカット紙３つ折り隠蔽葉書。
【請求項２】
前記カット紙がＡ４サイズであり、Ｚ状に３つ折りし加圧接着した後に、前記カット紙の短手方向を１４０〜１５４ｍｍの寸法になるようにカットした構成からなり、カットされた紙片を控え紙片としたことを特徴とする請求項１記載のカット紙３つ折り隠蔽紙片。
【発明の詳細な説明】
【技術分野】
【０００１】
本発明はカット紙からなる３つ折り隠蔽葉書に関する。
【背景技術】
【０００２】
従来、３つ折り隠蔽葉書としては、両面に感圧接着剤層を設けた連続用紙を使用して、両側端に送り孔を形成した後に固定情報の印刷及び折罫、切欠等の加工を行い、プリンターにて連続用紙に個人情報をプリントして、両側端の送り孔部をカットして除去した後に、３つ折りして加圧接着し個人情報がプリントされた面を剥離可能に接着してから、所定位置にてカットして製造された隠蔽葉書、ないしは、片面に感圧接着剤層を設けたＡ４サイズのカット紙を使用して、感圧接着剤層面に個人情報をプリントすると共に感圧接着剤層のない面に宛名宛先をプリントした後に、個人情報のプリント面を内側にしてカット紙の長手方向に平行に２つ折りして中央部で２つに切断してから、加圧接着して個人情報がプリントされた各紙片面間を剥離可能に接着した構成の隠蔽葉書が知られている。
【０００３】
しかしながら、前者の隠蔽葉書では工程が煩雑であり大量生産には適しているが、多品種少量生産の用途ではコスト高となるという欠点があつた。また、後者の隠蔽葉書では宛名宛先と隠蔽する必要のある個人情報とをカット紙の両面にプリントする必要があるため、２工程のプリントを行わなければならないという欠点があつた。
【発明の開示】
【発明が解決しようとする課題】
【０００４】
本発明は、カット紙を使用して作製され、全ての情報を片面プリントによりプリントすることができる３つ折り隠蔽葉書を提供することである。
【課題を解決するための手段】
【０００５】
両面に感圧接着剤層が設けられた長方形状のカット紙を使用して、前記カット紙の片面にプリンターにて情報をプリントし、前記カット紙を長手方向にＺ状に３つ折りして上紙片と中紙片と下紙片からなる３つ折り紙片を作製し、前記３つ折り紙片を加圧接着して前記上紙片と前記中紙片の裏面同士、前記中紙片と前記下紙片の表面同士を接着したカット紙３つ折り隠蔽葉書であって、前記カット紙の両面に設けられる感圧接着接着剤層の塗布量を、裏面は多くして表面は裏面よりも少なくしておくことにより、Ｚ状に３つ折りして加圧接着することにより、塗布量を多くした感圧接着剤層を備える裏面同士は強く接着させ、塗布量を少なくした感圧接着剤層を備える表面同士は弱く接着させることにより、前記上紙片と前記中紙片の裏面間を強く接着して剥離できない状態とし、前記中紙片と前記下紙片の表面間を弱く接着して剥離できる状態とした構成からなるカット紙３つ折り隠蔽葉書であるので、一般的に使用されているカット紙用プリンターを使用して片面プリントを行うだけで、簡単に低価格で隠蔽葉書を作製することができるので、少量生産には特に適している。
【０００６】
カット紙として、長手方向が２７０〜３２１ｍｍで、短手方向が１４０〜１５４ｍｍの長方形状のものを使用した上記のカット紙３つ折り隠蔽葉書とすることにより、紙の無駄をなくし有効に使用することができる。
【０００７】
カット紙をＡ４サイズとして、Ｚ状に３つ折りし加圧接着した後に、カット紙の短手方向を１４０〜１５４ｍｍの寸法になるようにカットしたカット紙３つ折り隠蔽葉書とすることにより、最も一般的に使用されているＡ４サイズの紙とカット紙用プリンターを使用して、カット紙の片面にプリントするだけで簡単にカット紙３つ折り隠蔽葉書を作製することができる。
【０００８】
カットして除去した紙片を控え紙片としたカット紙３つ折り隠蔽葉書とすることにより、控え紙片を残すことにより各種の用途に利用することができる。
【発明の効果】
【０００９】
両面に感圧接着剤層が設けられた長方形状のカット紙を使用して、カット紙の片面にプリンターにて情報をプリントし、カット紙を長手方向にＺ状に３つ折りして上紙片と中紙片と下紙片からなる３つ折り紙片を作製し、３つ折り紙片を加圧接着して中紙片と下紙片間を剥離可能に接着した構成からなるカット紙３つ折り隠蔽葉書であるので、一般的に使用されているカット紙用プリンターを使用して片面プリントを行うだけで、簡単な工程で低価格で作製することができるので、隠蔽葉書を少量生産する場合に特に適している。また、カット紙として、長手方向が２７０〜３２１ｍｍで、短手方向が１４０〜１５４ｍｍの長方形状のものを使用してカット紙３つ折り隠蔽葉書を作製することにより、用紙を無駄なく有効に利用できるし、カット紙をＡ４サイズとして、Ｚ状に３つ折りし加圧接着した後に、カット紙の短手方向を１４０〜１５４ｍｍの寸法になるようにカットしたカット紙３つ折り隠蔽葉書とすることにより、一般的に使用されているＡ４サイズの紙とＡ４サイズのカット紙用プリンターを使用して、カット紙の片面にプリントするだけで、簡単にカット紙３つ折り隠蔽葉書を作製することができるものである。更に、カットして除去したカット紙片を控え紙片として活用することができるものである。
【発明を実施するための最良の形態】
【００１０】
以下、本発明の実施の形態を図面に基づいて説明する。図１はカット紙３つ折り隠蔽葉書の第１実施例の展開した平面図、図２は第１実施例の（イ）は平面図で（ロ）は横断面図、図３はカット紙３つ折り隠蔽葉書の第２実施例の展開した平面図、図４は第２実施例の製造工程中における（イ）は３つ折りして加圧接着した平面図で（ロ）は完成した平面図であつて、１は上紙片、２は中紙片、３は下紙片、４は折目線、５は宛名宛先、６は連絡情報、７は個人情報、８は剥離可能接着部、９は接着部、１０はカット線、１１はカット紙片をそれぞれ表す。
【００１１】
本発明のカット紙３つ折り隠蔽葉書の第１実施例は図１、２に示すとおりである。第１実施例の展開した状態の平面図は図１に示すように、両面に感圧接着剤層が設けられた長方形状のカット紙からなり、上紙片１と中紙片２と下紙片３が折目線４を介して連接された形状であり、上紙片１の表面には「郵便はがき」の表示がなされて上紙片１が葉書本体とされると共に、宛名宛先５および連絡情報６がプリントされており、中紙片２と下紙片３のそれぞれ表面には隠蔽される個人情報７がプリントされている。上紙片１と中紙片２と下紙片３の裏面はプリントされず白紙のままである。したがつて、顧客に連絡したい情報等があれば、上紙片１の表面の下部に連絡情報６としてプリントすればよい。「郵便はがき」、宛名宛先５、連絡情報６、個人情報７は全て上紙片１と中紙片２と下紙片３の表面にプリントされるので、必要なプリントはカット紙の片面に１回のプリント工程により全てプリントすることができるものである。
【００１２】
図１に示す展開した状態から、上紙片１の表面が上面となるように折目線４にてＺ状に３つ折りして加圧接着することにより、図２（イ）に示すカット紙３つ折り隠蔽葉書ができあがる。カット紙の両面に設けられる感圧接着剤の塗布量を、裏面は多くして表面は裏面よりも少なくしておくことにより、Ｚ状に３つ折りして加圧接着した場合に、感圧接着剤の多い裏面同士は強く接着した状態となり、感圧接着剤の少ない表面同士は弱く接着して剥離できる状態となる。したがつて、図２（ロ）に示すように、中紙片２の表面と下紙片３の表面間は剥離可能接着部８により剥離できる状態に接着され、上紙片１と中紙片２の裏面同士は接着部９により強く接着して剥離できない状態となる。
【００１３】
第１実施例のカット紙３つ折り隠蔽葉書の場合には、カット紙として長手方向の寸法が２７０〜３２１ｍｍで、短手方向の寸法が１４０〜１５４ｍｍの長方形状であつて、両面に感圧接着剤層が設けられたカット紙を使用するものである。そうすることにより、カット紙の長手方向にＺ状に３つ折りして隠蔽葉書とした状態において、隠蔽葉書の横方向の寸法が９０〜１０７ｍｍ、縦方向の寸法が１４０〜１５４ｍｍとなり、私製葉書の規格に適合したものが得られる。
【００１４】
本発明のカット紙３つ折り隠蔽葉書の第２実施例は図３、４に示すとおりである。第２実施例の展開した状態の平面図は図３に示すように、両面に感圧接着剤層が設けられた長方形状のカット紙からなり、上紙片１と中紙片２と下紙片３がそれぞれ折目線４を介して連接された形状であり、上紙片１と中紙片２と下紙片３の下部にはそれぞれカット紙片１１がカット線１０を介して連接された形状となつている。上紙片１の表面には「郵便はがき」の表示がなされて上紙片１が葉書本体とされると共に、宛名宛先５および連絡情報６がプリントされており、中紙片２と下紙片３のそれぞれ表面には隠蔽される個人情報７がプリントされており、上紙片１と中紙片２と下紙片３の裏面はプリントされず白紙のままである。したがつて、本実施例の場合においても、必要なプリントはカット紙の片面に１回のプリント工程により全てプリントすることができるものである。
【００１５】
図３に示す展開した状態から、上紙片１の表面が上面となるように折目線４にてＺ状に３つ折りして加圧接着することにより、図４（イ）に示すように、下部にカット線１０を介してカット紙片１１が連接された状態の隠蔽葉書が得られる。図４（イ）に示す状態から、カット線１０にてカット紙片１１を切り離すことにより、図４（ロ）に示す、カット紙３つ折り隠蔽葉書ができあがる。切り離されたカット紙片１１は廃棄しても良いし、控え紙片として利用するようにしてもよい。本実施例の場合においても、カット紙の両面に設けられる感圧接着剤層の塗布量を表面は少なく、裏面は表面よりも多くすることにより、Ｚ状に３つ折りして加圧接着した場合に、上紙片１の裏面と中紙片２の裏面間は強く接着して剥離できない状態となり、中紙片２の表面と下紙片３の表面間は弱く接着して剥離できる状態となる。
【００１６】
第２実施例のカット紙３つ折り隠蔽葉書の場合には、カット紙として両面に感圧接着剤層が設けられたＡ４サイズの用紙を使用するものである。Ａ４サイズのカット紙の寸法は、長手方向が２９７ｍｍで短手方向が２１０ｍｍであるので、カット紙の長手方向にＺ状に３つ折りして隠蔽葉書を作製した場合に、縦寸法が２１０ｍｍとなつているので、縦寸法が１４０〜１５４ｍｍになるように、カット線１０にて余分のカット紙片１１部をカットして除去することにより、私製葉書の規格に適合したカット紙３つ折り隠蔽葉書が得られる。
【００１７】
切り離されたカット紙片１１は廃棄してもよいし、他の用途に利用するようにしてもよい。カット紙片１１の利用方法としては、例えば、上紙片１の個人名の下に個人コード番号をまた連絡情報６として抽選用の５桁の数字をプリントすると共に、上紙片１に連接されたカット紙片１１にも上記と同じ個人コード番号及び抽選用の５桁の数字をプリントしておくことにより、個人コード番号に対応した抽選用の５桁の数字を控えとして残すことができる。そうすることで、抽選を実施した際に抽選に当たった個人名の確認を容易に行うことができるものである。
【００１８】
本発明のカット紙３つ折り隠蔽葉書は両面に感圧接着剤層が設けられた長方形状のカット紙を使用して、カット紙の片面のみに一般的に使用されているＡ４サイズのカット紙用プリンターを使用してプリントするだけで、カット紙の長手方向にＺ状に３つ折りして加圧接着することにより作製することができるので、工程がきわめて簡略化できる上に、短時間で低価格で製造することができるので、少量の隠蔽葉書を作製する必要のある場合にはきわめて効果的である。
【図面の簡単な説明】
【００１９】
【図１】カット紙３つ折り隠蔽葉書の第１実施例の展開した平面図である。
【図２】第１実施例の（イ）は平面図で（ロ）は横断面図である。
【図３】カット紙３つ折り隠蔽葉書の第２実施例の展開した平面図である。
【図４】第２実施例の製造工程中における（イ）は３つ折りして加圧接着した平面図で（ロ）は完成した平面図である。
【符号の説明】
【００２０】
１                        上紙片
２                        中紙片
３                        下紙片
４                        折目線
５                        宛名宛先
６                        連絡情報
７                        個人情報
８                        剥離可能接着部
９                        接着部
１０                      カット線
１１                      カット紙片
【図１】
2006347185.tif 000003
【図２】
2006347185.tif 000004
【図３】
2006347185.tif 000005
【図４】
2006347185.tif 000006